(57)【要約】ピクセル（２１）とデータ・ライン（２３）との間の漏話を含めてイメージ更新期間の間にデータ・ライン（２３）に結合された各ピクセル（２１）を所望の光学的状態に駆動するために、イメージ駆動データ・システム（４０）が漏話補償されたイメージ駆動データ（CIDD）をデータ・ライン（２３）に加える。漏話を軽減するために、イメージ駆動データ・システム（４０）は、漏話補償されていないイメージ駆動データ（IDD）ピクセル（２１）とデータ・ライン（２３）との間の漏話を含めずに、各ピクセルをそれぞれの所望のイメージに駆動するための、漏話補償されていないイメージ駆動データ（IDD）を決定し、漏話補償されていないイメージ駆動データ（IDD）とピクセル（２１）とデータ・ライン（２３）との間の漏話結合定数とに基づいて時間平均したピクセル・データ・シフトを決定し、時間平均したピクセル・データ・シフトに基づいて漏話補償された駆動データ（CIDD）を決定する。
2008542811.tif 000002
【特許請求の範囲】
【請求項１】
複数のイメージの間で駆動されるよう動作可能な複数のピクセルに動作上結合されたデータ・ラインを含むアクティブ・マトリクス・ディスプレイと、
前記データ・ラインに動作上結合され、ピクセルとデータ・ラインとの間の漏話を含めて、イメージ更新期間の間に各ピクセルを所望の光学的状態に駆動するために、データ・ラインに漏話補償されたイメージ駆動データを加えるようになっているイメージ駆動データ・システムとを有するシステムであって、
前記イメージ駆動システムは、ピクセルとデータ・ラインとの間の漏話を含めずに、各ピクセルをそれぞれの所望のイメージに駆動するための、漏話補償されていないイメージ駆動データを決定するよう動作可能であり、
前記イメージ駆動システムはさらに、漏話補償されていないイメージ駆動データおよびピクセルとデータ・ラインの間の漏話結合定数に基づいて時間平均されたピクセル・データ・シフトを決定するよう動作可能であり、
前記イメージ駆動システムはさらに、ピクセルの前記時間平均されたピクセル・データ・シフトに基づいて漏話補償された駆動データを決定するよう動作可能である、システム。
【請求項２】
前記漏話補償されたイメージ駆動データがさらに、ピクセルとデータ・ラインの間の漏話結合定数に依存する漏話スケーリング因子に基づく、請求項１記載のシステム。
【請求項３】
前記漏話補償されたイメージ駆動データは、イメージ更新データから導出される漏話補償されていないイメージ駆動データを含み、
前記漏話補償されたイメージ駆動データはさらに、前記時間平均されたピクセル・データ・シフトを軽減する機能として導出される漏話補償非駆動データを含む、
請求項１記載のシステム。
【請求項４】
前記漏話補償されたイメージ駆動データをデータ・ラインに加えることが：
イメージ更新期間の少なくとも一つの行アドレス期間の間に該データ・ラインに前記漏話補償されていないイメージ駆動データを加え、
該イメージ更新期間の少なくとも一つの空白アドレス期間の間に該データ・ラインに前記漏話補償非駆動データを加えることを含む、
請求項３記載のシステム。
【請求項５】
前記漏話補償されたイメージ駆動データが、前記時間平均されたピクセル・データ・シフトおよびピクセルとデータ・ラインの間の前記漏話結合定数のうちの少なくとも一つに基づく前記漏話補償されていないイメージ駆動データの振幅変調を含む、請求項１記載のシステム。
【請求項６】
前記漏話補償されたイメージ駆動データをデータ・ラインに加えることが：
イメージ更新期間の少なくとも一つの行アドレス期間の間に前記漏話補償されていないイメージ駆動データの前記振幅変調をデータ・ラインに加えることを含む、
請求項５記載のシステム。
【請求項７】
前記漏話補償されたイメージ駆動データが、イメージ更新データから導出される漏話補償されていないイメージ駆動データを含み、
前記漏話補償されたイメージ駆動データがさらに、イメージ補償データおよび前記時間平均されたピクセル・データ・シフトの相関から導出される漏話補償駆動データをさらに含み、該イメージ補償データは前記時間平均されたピクセル・データ・シフトを軽減する機能である、
請求項１記載のシステム。
【請求項８】
前記漏話補償されたイメージ駆動データをデータ・ラインに加えることが：
イメージ更新期間のイメージ更新フェーズの間に前記漏話補償されていないイメージ駆動データをデータ・ラインに加え、
イメージ更新期間の補償駆動フェーズの間に漏話補償非駆動データをデータ・ラインに加えることを含む、
請求項７記載のシステム。
【請求項９】
前記漏話補償されたイメージ駆動データはさらに、イメージ更新データから導出されるリセット・イメージ駆動データを含んでおり、
前記漏話補償されたイメージ駆動データをデータ・ラインに加えることがさらに、イメージ更新期間のイメージ・リセット・フェーズの間に該リセット・イメージ駆動データをデータ・ラインに加えることを含む、
請求項８記載のシステム。
【請求項１０】
前記アクティブ・マトリクス・ディスプレイが、電気泳動に基づくディスプレイ、液晶ディスプレイおよび発光ダイオード・ディスプレイを含むディスプレイ群より選択される、請求項１記載のシステム。
【請求項１１】
複数のイメージの間で駆動されるよう動作可能な複数のピクセルに動作上結合されたデータ・ラインを含むアクティブ・マトリクス・ディスプレイと、
イメージ駆動データ・システムとを有するシステムであって、前記イメージ駆動データ・システムが：
ピクセルとデータ・ラインの間の漏話を含めて、イメージ更新期間の間に各ピクセルを所望の光学的状態に駆動するために、データ・ラインに漏話補償されたイメージ駆動データを加える手段と、
ピクセルとデータ・ラインとの間の漏話を含めずに、各ピクセルをそれぞれの所望のイメージに駆動するための、漏話補償されていないイメージ駆動データを決定する手段と、
前記漏話補償されていないイメージ駆動データおよびピクセルとデータ・ラインの間の漏話結合定数に基づいて時間平均されたピクセル・データ・シフトを決定する手段と、
ピクセルの前記時間平均されたピクセル・データ・シフトに基づいて漏話補償された駆動データを決定する手段とを含むシステム。
【請求項１２】
前記漏話補償されたイメージ駆動データがさらに、ピクセルとデータ・ラインの間の前記漏話結合定数に依存する漏話スケーリング因子に基づく、請求項１１記載のシステム。
【請求項１３】
前記漏話補償されたイメージ駆動データは、イメージ更新データから導出される漏話補償されていないイメージ駆動データを含み、
前記漏話補償されたイメージ駆動データはさらに、前記時間平均されたピクセル・データ・シフトを軽減する機能として導出される漏話補償非駆動データを含む、
請求項１１記載のシステム。
【請求項１４】
前記漏話補償されたイメージ駆動データをデータ・ラインに加える手段が：
イメージ更新期間の少なくとも一つの行アドレス期間の間に該データ・ラインに前記漏話補償されていないイメージ駆動データを加え、
該イメージ更新期間の少なくとも一つの空白アドレス期間の間に該データ・ラインに前記漏話補償非駆動データを加えることを含む、
請求項１３記載のシステム。
【請求項１５】
前記漏話補償されたイメージ駆動データが、前記時間平均されたピクセル・データ・シフトおよびピクセルとデータ・ラインの間の前記漏話結合定数のうちの少なくとも一つに基づく前記漏話補償されていないイメージ駆動データの振幅変調を含む、請求項１１記載のシステム。
【請求項１６】
前記漏話補償されたイメージ駆動データをデータ・ラインに加えることが：
イメージ更新期間の少なくとも一つの行アドレス期間の間に前記漏話補償されていないイメージ駆動データの前記振幅変調をデータ・ラインに加えることを含む、
請求項１５記載のシステム。
【請求項１７】
前記漏話補償されたイメージ駆動データが、イメージ更新データから導出される漏話補償されていないイメージ駆動データを含み、
前記漏話補償されたイメージ駆動データがさらに、イメージ補償データおよび前記時間平均されたピクセル・データ・シフトの相関から導出される漏話補償駆動データをさらに含み、該イメージ補償データは前記時間平均されたピクセル・データ・シフトを軽減する機能である、
請求項１１記載のシステム。
【請求項１８】
前記漏話補償されたイメージ駆動データをデータ・ラインに加える手段が：
イメージ更新期間のイメージ更新フェーズの間に前記漏話補償されていないイメージ駆動データをデータ・ラインに加え、
イメージ更新期間の補償駆動フェーズの間に漏話補償非駆動データをデータ・ラインに加えることを含む、
請求項１７記載のシステム。
【請求項１９】
前記漏話補償されたイメージ駆動データはさらに、イメージ更新データから導出されるリセット・イメージ駆動データを含んでおり、
前記漏話補償されたイメージ駆動データをデータ・ラインに加えることがさらに、イメージ更新期間のイメージ・リセット・フェーズの間に該リセット・イメージ駆動データをデータ・ラインに加えることを含む、
請求項１８記載のシステム。
【請求項２０】
前記アクティブ・マトリクス・ディスプレイが、電気泳動に基づくディスプレイ、液晶ディスプレイおよび発光ダイオード・ディスプレイを含むディスプレイ群より選択される、請求項１１記載のシステム。
【発明の詳細な説明】
【技術分野】
【０００１】
本発明は、概括的にはアクティブ・マトリクス・ディスプレイのピクセルとデータ・ラインとの間の漏話に関する。本発明は、特定的には、アクティブ・マトリクス・ディスプレイのためのピクセルの最適画質を容易にするためそのような漏話を軽減するための技術に関する。
【背景技術】
【０００２】
ポリマー・ビジョン（Polymer  Vision）は現在、電気泳動ディスプレイ効果を有するポリマー電子工学アクティブ・マトリクスに基づく巻き取り式ディスプレイ（rollable  display）を開発している。しかしながら、そのようなアクティブ・マトリクス・ディスプレイでは、該アクティブ・マトリクス・ディスプレイのイメージ更新の間、ピクセルおよびデータ・ラインのすべての間に、ある量の漏話があり、それが残念ながら該アクティブ・マトリクス・ディスプレイの画質を低下させる。
【０００３】
たとえば、図１はデータ・ライン２３および個別選択ライン２４に動作上結合されたアドレス要素２２を有する例示的なピクセル２１を4つ示している。イメージ駆動データ・システム３０によってデータ・ライン２３にイメージ駆動データが加えられるイメージ更新期間の間、ピクセル２１は、個別選択ライン２４を介して該ピクセル２１が選択されている間、アドレス要素２２を介してデータ・ライン２３に直接結合され、それによりデータ・ライン２３に加えられているイメージ駆動データの特定のセグメントをピクセル・データとして受け取り、保存する。逆に、ピクセル２１は、その個別選択ライン２４を介してピクセル２１が選択されていない間は、寄生（parasitic）コンデンサCPARを介してデータ・ライン２３に容量的に結合される。それにより、ピクセル２１のピクセル・データは、他のピクセル２１を指定してアドレッシングされることを意図されたイメージ駆動データのセグメントによって、期せずしてシフトされてしまう。
【０００４】
ピクセル２１のためにイメージ駆動データ・システム３０によって用いられる例示的なアドレッシング方式は、図２に示される例示的なイメージ駆動データ探索表（data  look-up-table）（「DLUT」）１００に基づいた、イメージ更新データのイメージ駆動データへの変換を含む。図２に示されるように、ピクセル２１の光学的状態が前のイメージ更新期間（previous  image  update  period）において黒で（「PPIUP＝0」）、現在のイメージ更新期間（current  image  update  period）についてそのピクセル２１の所望の光学的状態がイメージ更新データによれば黒である（「PCIUP＝0」）場合、そのピクセル２１は1駆動フレームにわたってlowにパルスされる。ピクセル２１の光学的状態が前のイメージ更新期間において黒で（「PPIUP＝0」）、現在のイメージ更新期間についてそのピクセル２１の所望の光学的状態がイメージ更新データによれば白である（「PCIUP＝1」）場合、そのピクセル２１は9駆動フレームにわたってhighにパルスされる。ピクセル２１の光学的状態が前のイメージ更新期間において白で（「PPIUP＝1」）、現在のイメージ更新期間についてそのピクセル２１の所望の光学的状態がイメージ更新データによれば黒である（「PCIUP＝0」）場合、そのピクセル２１は6駆動フレームにわたってlowにパルスされる。ピクセル２１の光学的状態が前のイメージ更新期間において白で（「PPIUP＝1」）、現在のイメージ更新期間についてそのピクセル２１の所望の光学的状態がイメージ更新データによれば白である（「PCIUP＝1」）場合、そのピクセル２１は1駆動フレームにわたってhighにパルスされる。
【０００５】
図３は、現在のイメージ更新データ「0111」の、10の駆動フレームからなるイメージ駆動データへの変換を示している。変換は、前のイメージ更新期間における前のイメージ更新データ「0011」に基づいてDLUTから導出される。図１および図３を参照すると、そのイメージ更新期間の間、駆動フレーム（drive  frame）DF1は、ピクセル２１（１）がlowにパルスされ、ピクセル２１（２）〜２１（４）がhighにパルスされることに関わる。駆動フレームDF2〜DF9は、ピクセル２１（２）がhighにパルスされることに関わり、駆動フレームDF10はピクセル２１のいずれをパルスすることにも関わらない。
【０００６】
ピクセル２１とデータ・ライン２３との間の漏話の、ピクセル２１に加えられる図３に示されるピクセル駆動データに対する効果は、図４と図５の比較により最もよく理解される。特に、図４は、ピクセル２１とデータ・ライン２３との間の漏話を除外しての、図３に示される駆動フレーム１のための各ピクセル２１についての所望ピクセル・データ（desired  pixel  data）（DPD）を示している。各ピクセル２１についての所望ピクセル・データDPDは残りの駆動フレームDF2〜DF10についても達成される。それにより、各ピクセル２１が正しく所望される光学的状態に適正に駆動されるので、イメージ更新期間全体にわたる結果が、ピクセル２１の最適な画質となる。
【０００７】
これに対し、図５は、図３に示される駆動フレーム１のためのピクセル２１とデータ・ライン２３との間の漏話（cross-talk）CTを含めた、各ピクセル２１についての実効ピクセル・データ（effective  pixel  data）（EPD）を示している。ここで、所望ピクセル・データDPD（図４）と実効ピクセル・データEPDとの間のあらゆる差は、非選択行アドレス期間における漏話CTに起因するピクセル２１のピクセル・データのシフトである。非選択行アドレス期間における漏話CTに起因する所望ピクセル・データDPD（図４）と実効ピクセル・データEPDとの間のシフト差は、残りの駆動フレームDF2〜DF9のためにも起こりうる。それにより、イメージ更新期間全体にわたる結果は、各ピクセル２１がそれぞれの所望の光学的状態に誤って駆動されるので、ピクセル２１の最適に及ばない画質になる。より具体的には、電気泳動に基づくアクティブ・マトリクス・ディスプレイの背景では、当業者は、駆動フレームすべてについての所望ピクセル・データDPDと実効ピクセル・データEPDとの間のシフト差は、電気泳動物質中の粒子が動くスピードの差につながり、よってひとたび駆動が完了したときの粒子分布の差、ひいてはグレー・レベルの差（すなわち、光学的な漏話）につながることを認識するであろう。
【発明の開示】
【発明が解決しようとする課題】
【０００８】
漏話は、単にポリマー・ビジョンによって開発されている電気泳動に基づくアクティブ・マトリクス・ディスプレイの問題ではなく、事実上、あらゆる種類のアクティブ・マトリクス・ディスプレイ、特にフィールド遮蔽ディスプレイ（field-shielded  display）における問題である。したがって、本発明は、アクティブ・マトリクス・ディスプレイと、該アクティブ・マトリクス・ディスプレイのピクセルとデータ・ラインとの間の漏話を軽減するための新規かつ独特な技術を実装するイメージ駆動データ・システムとを用いるシステムを提供する。
【課題を解決するための手段】
【０００９】
本発明の一つの形態では、アクティブ・マトリクス・ディスプレイは、データ・ラインと、該データ・ラインに動作上結合された、それぞれが複数の光学的状態の間で駆動可能な複数のピクセルとを含む。前記データ・ラインにはイメージ駆動データ・システムが動作上結合され、それにより、ピクセルとデータ・ラインとの間の漏話を含めて、イメージ更新期間の間に各ピクセルを所望の光学的状態に駆動するために、データ・ラインに漏話補償されたイメージ駆動データを加えるようになっている。漏話を軽減するため、イメージ駆動データ・システムは、ピクセルとデータ・ラインとの間の漏話を含めずに、各ピクセルをそれぞれの所望のイメージに駆動するための、漏話補償されていないイメージ駆動データを決定し、漏話補償されていないイメージ駆動データとピクセルとデータ・ラインとの間の漏話結合定数とに基づいて時間平均したピクセル・データ・シフトを決定し、時間平均したピクセル・データ・シフトに基づいて漏話補償された駆動データを決定する。
【００１０】
本発明の上記の形態ならびに他の特徴および利点は、付属の図面とともに読まれる、本発明のさまざまな実施形態の以下の詳細な記述からさらに明らかになるであろう。詳細な記述および図面は単に本発明の範囲を限定するのではなく単に本発明を例解するものであり、本発明の範囲は付属の請求項およびその等価物によって定義される。
【発明を実施するための最良の形態】
【００１１】
図６に示されたピクセル２１（図１）の概略的な表現は、ピクセル・ノード（pixel  node）PNおよび共通参照（common  reference）CREFに接続された前面コンデンサ（front  plane  capacitor）CFPと、先行ピクセル２１の、ピクセル・ノードPNおよび選択ライン２４に接続された記憶コンデンサ（storage  capacitor）CSTOREとを用いるピクセル２１を示している。薄膜トランジスタOTFTの形のアドレッシング要素がデータ・ライン２３、個別選択線２４およびピクセル・ノードPNに接続されており、それにより、個別選択ライン２４を介したピクセル２１の選択の間、データ・ライン２３はピクセル・ノードPNに直接結合され、その時点でデータ・ライン２３に加えられたイメージ駆動データがピクセル２１内で受け取られ、記憶される。寄生容量CPARは、イメージ駆動データがデータ・ライン２３に加えられ、ピクセル２１が選択ライン２４（Ｙ）を介して選択されていないときに、データ・ライン２３とピクセル・ノードPNとの間で確立される。
【００１２】
本発明のイメージ駆動データ・システム４０は、漏話補償されたイメージ駆動データをデータ・ライン２３に加えるための本発明の発明的な原理を、一つまたは複数のアドレッシング方式に従って実装する。具体的には、本発明の発明者らは、各駆動フレームのための各ピクセル２１上での実効的な時間平均された電圧VEPAVGが次の式[1]〜[3]に基づいて理論的に決定できることを発見した：
【００１３】
【数１】
2008542811.tif 000003
ここで、VDD(i)はある駆動フレームの間にピクセルに書き込まれる駆動データ（drive  data）、cはピクセル２１とデータ・ライン２３との間の結合定数、(1−c)は漏話スケーリング因子、Nはピクセルの総行数に解析される駆動フレーム数を乗算したもの、VTAPDSは各ピクセルの時間平均されたピクセル・データ・シフト（time-averaged  pixel  data  shift）である。たとえば、次の式[4]〜[8]は、図５に示された駆動フレーム１の間の各ピクセル２１上の実効的な時間平均された電圧VEPAVGを示す：
VEPAVG(i)＝VPL*(1−c)＋VTAPDS                            [4]
VEPAVG(2)＝VPH*(1−c)＋VTAPDS                            [5]
VEPAVG(3)＝VPH*(1−c)＋VTAPDS                            [6]
VEPAVG(4)＝VPH*(1−c)＋VTAPDS                            [7]
VTAPDS＝(c/4)*(VPL＋3VPH)                            [8]
本発明の発明者らによって、ピクセル２１とデータ・ライン２３との間の漏話の効果は、漏話スケーリング因子(1−c)および時間平均されたピクセル・データ・シフトVTAPDSを補償／打ち消しすることによって、完全にはなくせないまでも、最小化できることが発見された。この目的に向けて、本発明者らが、イメージ駆動データ・システム４０が漏話スケーリング因子(1−c)および時間平均されたピクセル・データ・シフトVTAPDSを補償／打ち消しし、ピクセル２１とデータ・ライン２３との間の漏話の効果を完全にはなくせないまでも、最小化できることを発見したのは、ここでの式[1]〜[3]からであった。しかしながら、そのような諸方法の以下の記述はここでの式[1]〜[3]から特に考案されたものの、本発明のイメージ駆動データ・システムによって漏話スケーリング因子および時間平均されたピクセル・データ・シフトを補償／打ち消しすることは、本発明の発明的原理に基づいて、他の式および／またはパラメータから考案することができる。
【００１４】
図７に示されるフローチャート５０は、本発明の漏話スケーリング因子軽減法を表す。フローチャート５０の段階Ｓ５２は、ピクセル２１とデータ・ライン２３との間の漏話結合定数（たとえば、ここでの式[2]によるc）に基づく漏話スケーリング因子の決定を包含し、フローチャート５０の段階Ｓ５４は、段階Ｓ５２で決定された漏話スケーリング因子に基づくピクセル・データ電圧レベルの調整を包含する（たとえば、図４および図５に示されるVPHおよびVPL）。
【００１５】
実際上、漏話スケーリング因子がイメージ更新データと独立であるという事実に鑑み、ピクセル・データ電圧レベルの調整は、当業者が認識するであろうようにイメージ駆動データ・システム４０の適切なドライバのためにスケーリングされた電圧によってもできるし、あるいはイメージ駆動データのための波形が因子1/(1−c)だけ引き延ばされることもできる。さらに、本発明のイメージ駆動データ・システムは、各データ・ラインとそのそれぞれのピクセルとの間の異なる漏話結合定数を有するさまざまな種類のアクティブ・マトリクス・ディスプレイとともに機能するよう設計できる。そのような場合、本発明のイメージ駆動データ・システムは、各データ・ラインとそのそれぞれのピクセルとの間の、そのシステムによって駆動されるアクティブ・マトリクス・ディスプレイの種類に依存した適切な漏話結合定数を計算および／または記憶するようプログラムされるべきである。
【００１６】
図８に示されるフローチャート６０は、本発明の、時間平均されたピクセル・データ・シフトの軽減法を表す。これは主として、ピクセル２１とデータ・ライン２３との間の漏話によって引き起こされる時間平均されたピクセル・データ・シフト（たとえばここでの式[3]における時間平均されたピクセル・データ・シフトVTAPDS）を補償／打ち消しすることを意図されている。それにもかかわらず、漏話スケーリング因子を補償／打ち消しする必要性は、個別に対処されることもできるし（たとえば、図７に示されるフローチャート５０）、あるいは時間平均されたピクセル・データ・シフトと一緒に対処されることもできる（たとえば、図１２に示されるフローチャート８０）。
【００１７】
図８を参照すると、本発明の時間平均されたピクセル・データ・シフトの軽減法の理解を容易にするために、フローチャート６０について、図６に示したような4つのピクセル２１の背景で説明する。フローチャート６０のこの例示的な記述から、当業者は、本発明の時間平均されたピクセル・データ・シフトの軽減法をデータ・ラインごとにピクセルのマトリクスに適用するにはどうすればよいかを理解するであろう。
【００１８】
図６および図８を参照すると、フローチャート６０は、ピクセル２１によって投影されるイメージが更新される必要があるときは常にイメージ駆動データ・システム４０によって開始される。フローチャート６０の段階Ｓ６２は、ピクセル２１とデータ・ライン２３との間の漏話を除外して、イメージ駆動データ・システム４０が、ピクセル２１を所望の光学的状態に駆動するための漏話補償されていないイメージ駆動データを決定することを包含する。段階Ｓ６２のある実施形態では、イメージ駆動データ探索表（たとえば図２に示したDLUT１００）を使って、ピクセル２１のためのイメージ更新データを、漏話補償されていないイメージ駆動データ（たとえば図３に示したイメージ駆動データIDD）に変換できる。
【００１９】
フローチャート６０の段階Ｓ６４は、イメージ駆動データ・システム４０が、漏話補償されていないイメージ駆動データおよび漏話結合定数に基づいて、時間平均されたピクセル・データ・シフトを決定することを包含する。段階Ｓ６４のある実施形態では、漏話補償されていないイメージ駆動データIDD（図３）および漏話結合定数cに基づいて時間平均されたピクセル・データ・シフトVTAPDSを決定するために、ここに記載されている式[2]および[3]が実装される。
【００２０】
フローチャート６０の段階Ｓ６６は、イメージ駆動データ・システム４０が、時間平均されたピクセル・データ・シフトに基づいて漏話補償されたイメージ駆動データを決定することを包含し、フローチャート６０の段階Ｓ６８は、イメージ駆動データ・システム４０が、漏話補償されたイメージ駆動データを、イメージ駆動データ・システム４０の一つまたは複数のアドレッシング方式に従ってデータ・ライン２３に加えることを包含する。
【００２１】
実際上、本発明は、フローチャート６０が実装される仕方に関して、いかなる制限もいかなる制約も課さない。よって、図９〜１９に示されている段階Ｓ６６およびＳ６８の実施例の次の記述は段階Ｓ６６およびＳ６８の範囲を制限しない。
【００２２】
段階Ｓ６６およびＳ６８のある実施例は、駆動フレームのうち一つまたは複数内での「空白アドレッシング期間」（すなわち、行アドレッシングしていない期間）の導入に基づく。この実施形態は、各駆動フレームの時間期間の増大および／または各駆動フレームの各行アドレッシング期間の短縮を必要とすることもある。この実施形態は、当業者は理解するであろうように、ピクセル行数より大きな選択行数をもつドライバ・ハードウェアにおいて実装できる。さらに、この実施形態は、時間平均されたピクセル・データ・シフト（たとえば、ここでの式[3]のVTAPDS）の直接的な補償を提供する。
【００２３】
図９は、イメージ更新期間の一つまたは複数の駆動フレーム内での「空白アドレッシング期間」を導入する、本発明に基づくある方法を表すフローチャート７０を示している。
【００２４】
フローチャート７０の段階Ｓ７２は、イメージ駆動データ・システム４０が、漏話補償非駆動データを、１駆動フレーム当たりまたは諸駆動フレームの諸セット当たりの時間平均されたピクセル・データ・シフトを軽減する機能として決定することを包含する。段階Ｓ７２のある実施形態では、漏話補償非駆動データは、駆動フレームのある空白アドレッシング期間にわたって構築され、それにより時間平均ピクセル・データ・シフトと漏話補償非駆動データの平均電圧との間の差が0またはほぼ0になるようにされる。
【００２５】
フローチャート７０の段階Ｓ７４は、イメージ駆動データ・システム４０が、ある駆動フレームの行アドレッシング期間の間に漏話補償されていないイメージ駆動データをデータ・ライン２３に加えることを包含する。このことは、駆動フレーム１’の行アドレス期間１〜４について図１０で示されている。
【００２６】
フローチャート７０の段階Ｓ７６は、イメージ駆動データ・システム４０が、前記駆動フレームの空白アドレッシング期間の間に漏話補償非駆動データをデータ・ライン２３に加えることを包含する。このことは、駆動フレーム１’の空白アドレス期間について図１０で示されている。
【００２７】
図１０の背景では、漏話補償されたイメージ駆動データ（cross-talk  compensated  image  drive  data）CIDDは、行アドレッシング期間１〜４（たとえば図３に示したDF1のIDD）の間に漏話補償されていないイメージ駆動データがデータ・ライン２３に加えられ、空白アドレッシング期間の間に漏話補償費駆動データ（cross-talk  compensation  non-drive  data）CNDDがデータ・ライン２３に加えられることを含む。
【００２８】
また図８を参照すると、当業者は、フローチャート７０が静的イメージについては時間平均されたピクセル・データ・シフトを完璧に補償／打ち消しするが、駆動フレームごとに変化しているイメージについては、時間平均されたピクセル・データ・シフトのそのような補償／打ち消しは完璧には及ばないことを理解するであろう。こうして、現実的には、空白アドレッシング期間の実際の実装は多くの因子に依存することになる。そうした因子には、これに限られないが、各ピクセルの構造上の構成および個々のアドレッシング要素ならびに使用されるアドレッシング方式が含まれる。さらに、駆動フレームごとの時間平均されたピクセル・データ・シフトの重み付き平均が実装されることもできる。
【００２９】
段階Ｓ６６およびＳ６８（図７）のもう一つの例示的な実施形態は、図１１に示されるような、所望のピクセル電圧VDPDと要求されるデータ・ライン電圧VRIDDとのマッピングを補正することに基づいている。点線は、ピクセル２１とデータ・ライン２３との間の一切の漏話を除外して、所望のピクセル電圧VDPDと要求されるデータ・ライン電圧VRIDDとの1から1の（すなわち、傾きS1＝1の）マッピングを表す。実線は、ピクセル２１とデータ・ライン２３との間の一切の漏話を含めて、所望のピクセル電圧VDPDと要求されるデータ・ライン電圧VRIDDとのマッピングを表し、そこでは直線は次の式[10]および[11]に従う傾きS2と切片OSを有している：
S2＝1/(1−c)                                      [10]
OS＝−VTAPDS/(1−c)                              [11]
ここでもまた、cはピクセル２１とデータ・ライン２３との間の結合定数で、(1−c)は漏話スケーリング因子であり、VTAPDSは各ピクセル２１の時間平均されたピクセル・データ・シフトである。
【００３０】
図１２は、本発明に基づくマップ補正方法を表すフローチャート８０である。フローチャート８０の段階Ｓ８２は、イメージ・データ駆動システム４０がマップ補正電圧VMCを計算することを包含する。段階Ｓ８２のある実施形態では、マップ補正電圧VMCは次の式[12]に従って計算される：
VMC＝(VDPD−VTAPDS)/(1−c)                      [12]
フローチャート８０の段階Ｓ８４は、イメージ駆動データ・システム４０が、マップ補正電圧VMCに基づいて漏話補償されたイメージ駆動データを決定することを包含する。ある実施形態では、漏話補償されていないイメージ駆動データ（たとえば、図２に示したDF1のIDD）は、マップ補正電圧VMCによって振幅変調され、それにより漏話補償されたイメージ駆動データCIDDを与える。このことは、図１３の破線矢印によって例示的に示されている。
【００３１】
フローチャート８０の段階Ｓ８６は、イメージ駆動データ・システム４０が、漏話補償されたイメージ駆動データを、図１３に例示的に示した、漏話補償されたイメージ駆動データCIDDおよび駆動フレーム１の行アドレッシング期間１〜４をもつアドレッシング方式に従ってデータ・ライン２３に加えることを包含する。
【００３２】
段階Ｓ６６およびＳ６８（図８）のもう一つの例示的な実施形態は、漏話補償駆動データを決定するための補償探索表を作成することに基づいている。該探索表は、時間平均されたピクセル・データ・シフトを、該時間平均されたピクセル・データ・シフトを可能な限り最大限に軽減するためのイメージ補償データに相関させることによる。たとえば、相関は、時間平均されたピクセル・データ・シフトを二つ以上の数値範囲に分割し、この数値範囲をピクセル２３の各光学的状態（たとえば白黒については二つの光学的状態）に関係付けることを含む。当業者は、本発明の補償探索表において相関付けられる時間平均されたピクセル・データ・シフトの数値範囲の数および／またはピクセル２３の光学的状態の数を増やすごとに、時間平均されたピクセル・データ・シフトの補償／打ち消しの精度が上がることを認識するであろう。
【００３３】
図１４は、本発明の補償探索表方法を表すフローチャート９０を示している。フローチャート９０の段階Ｓ９２は、イメージ駆動データ・システム４０が、補償探索表（「CLUT」）（たとえば図１５に示したCLUT１０１）から漏話補償駆動データを決定することを包含している。正の範囲および負の範囲のVTAPDSはピクセル２３の黒の光学的状態「0」と白の光学的状態「1」に相関付けられている。フローチャート９０の段階Ｓ９４は、イメージ駆動データ・システム４０が、漏話補償されていないイメージ駆動データ（たとえば、図３に示したDF1のIDD）を、図３に示したイメージ更新フェーズの間にアドレス方式（単数または複数）に従ってデータ・ライン２３に加えることを包含する。フローチャート９０の段階Ｓ９６は、イメージ駆動データ・システム４０が、漏話補償駆動データを、図１６に示したイメージ更新期間の補償駆動フェーズ（compensation  drive  phase）（「CDP」）の間にアドレス方式（単数または複数）に従ってデータ・ライン２３に加えることを包含する。
【００３４】
フローチャート９０の任意的な段階Ｓ９８は、イメージ駆動データ・システム４０が、リセット探索表（reset  look-up-table）（「RLUT」）（たとえば図１７に示したRLUT１０２）に基づく空白イメージ駆動データを、図１８に示したイメージ更新期間のリセット駆動フェーズ（reset  drive  phase）（「RDP」）の間にアドレス方式（単数または複数）に従って、データ・ライン２３に加えることを包含している。図１７に示したようなRLUT１０２はDLUT１００（図２）の空白バージョンであり、これによると、内部ハードウェアがアクティブ・マトリクス・ディスプレイの現在のイメージ状態を反映することを要求するさまざまな種類のイメージ駆動データ・システム４０について内部ハードウェアをリセットするためのイメージ更新データがRLUT１０２に加えられる。
【００３５】
図２、図１６および図１８のコンテキストでは、漏話補償されたイメージ駆動データは、イメージ更新期間のイメージ更新フェーズの間にデータ・ライン２３に加えられる漏話補償されていないイメージ駆動データIDD、イメージ更新期間の補償駆動フェーズの間にデータ・ライン２３に加えられる漏話補償駆動データCDDおよびイメージ更新期間のリセット駆動フェーズの間にデータ・ライン２３に加えられるリセット駆動データRDDを含む。
【００３６】
実際上、本発明は、本発明のイメージ駆動データ・システムの構造上の構成にも、本発明のイメージ駆動データ・システムによって動作させることのできるアクティブ・マトリクス・ディスプレイの種類にもいかなる制限も制約も課さない。よって、例示的なイメージ駆動データ・システムおよびアクティブ・マトリクス・ディスプレイの以下の記述は、本発明の目的のためのイメージ駆動データ・システムおよびアクティブ・マトリクス・ディスプレイの範囲を限定するものではない。
【００３７】
図１９を参照すると、イメージ・データ・ドライバ・システム４０は、メモリ４１、中央処理装置（「CPU」）４２、一つまたは複数の周辺機器４３、ディスプレイ・ドライバ４４、一つまたは複数の列ドライバ４５および一つまたは複数の行ドライバ４６を用いる。アクティブ・マトリクス・ディスプレイ２０（たとえば、電気泳動に基づくディスプレイ、液晶ディスプレイまたは発光ダイオード・ディスプレイ）はピクセル２１のM×Nのマトリクスを含んでおり、それぞれの列ライン（すなわちデータ・ライン）および行ライン（すなわち選択ライン）はそれぞれドライバ４５およびドライバ４６に動作上結合されている。図６〜図１８および対応する記載において例示的に述べた本発明の発明的な原理によれば、CPU４２およびディスプレイ・ドライバ４４は、協働的に動作して、ディスプレイ２０の各選択ライン２４に行選択信号を選択的に加える行ドライバ（単数または複数）３６と一緒に、列ドライバ（単数または複数）４５を漏話補償された駆動データをディスプレイ２０の各データ・ラインに加えることにおいて制御し、それにより各イメージ更新期間の間に各ピクセル２１を所望の光学的状態に駆動する。
【００３８】
図７〜図１８を参照するに、「決定」の用語は、ドライバ・システムによる能動的な決定（すなわち、ドライバ・システムは、必要とされる決定を行うために必要なすべてのアルゴリズムを動的に実行する）またはドライバ・システムによる受動的な決定（すなわち、ドライバ・システムは、必要とされる決定を行うために必要なすべてのアルゴリズムのあらかじめ決定されている実行の結果を読む）を含む。
【００３９】
本発明の諸実施形態が上記されたのはあくまでも例としてであり、付属の請求項によって定義される本発明の範囲から外れることなく記載されている実施形態に修正および変更をなすことができることは、当業者には明らかであろう。さらに、請求項において、括弧内に参照符号があったとしてもその請求項を限定するものと解釈してはならない。動詞「有する」は請求項において挙げられているもの以外の要素またはステップの存在を排除しない。単数形の表現は複数を排除しない。本発明は、いくつかの相異なる要素を有するハードウェアによって、および好適にプログラミングされたコンピュータによって実装されてもよい。いくつかの手段を列挙している装置請求項においては、それらの手段のいくつかが同一のハードウェア項目によって具現されてもよい。施策が互いに異なる独立請求項において言及されているというだけの事実がそれらの施策の組み合わせが有利に使用できないことを示すものではない。
【図面の簡単な説明】
【００４０】
【図１】当技術分野において知られているイメージ駆動データ・システムによって駆動される、当技術分野において既知のピクセルのブロック図である。
【図２】当技術分野において既知の、イメージ更新データをイメージ駆動データに変換する例示的なイメージ駆動データ探索表（「DLUT」）を示す図である。
【図３】当技術分野において既知の、図２に示したDLUTに基づく例示的なイメージ駆動データを示す図である。
【図４】図１に示したデータ・ラインとピクセルとの間の漏話を除外した、図３に示したイメージ駆動データを図１に示したデータ・ラインに加えることに関連した例示的な所望ピクセル・データを示す図である。
【図５】図１に示したデータ・ラインとピクセルとの間の漏話を含めた、図３に示したイメージ駆動データを図１に示したデータ・ラインに加えることに関連した例示的な実効ピクセル・データを示す図である。
【図６】本発明のある実施形態に基づくイメージ駆動データ・システムによって駆動される、当技術分野において既知のピクセルの概略的な表現を示す図である。
【図７】本発明に基づく漏話スケーリング因子軽減法を表すフローチャートである。
【図８】本発明に基づく時間平均されたピクセル・データ・シフトの軽減法を表すフローチャートである。
【図９】本発明に基づく図８に示した時間平均したピクセル・データ・シフト軽減法の第一の実施例を表すフローチャートである。
【図１０】図９に示したフローチャートの実行を示す図である。
【図１１】所望されるピクセル・データ電圧レベルの、要求されるイメージ駆動データ電圧レベルへのマッピングを示す図である。
【図１２】本発明に基づく、図８に示した時間平均されたピクセル・データ・シフト軽減法の第二の実施例を表すフローチャートである。
【図１３】図１２に示されたフローチャートの例示的な実行を示す図である。
【図１４】本発明に基づく図８に示した時間平均したピクセル・データ・シフト軽減法の第三の実施例を表すフローチャートである。
【図１５】本発明に基づく、イメージ補償データを補償駆動データに変換するための例示的な補償探索表（「CLUT」）を示す図である。
【図１６】図１３に示されたフローチャートの例示的な実行を示す図である。
【図１７】本発明に基づくイメージ駆動データをリセットするための例示的なイメージ・リセット探索表（「RLUT」）を示す図である。
【図１８】図１３に示されるフローチャートの例示的な実行を示す図である。
【図１９】本発明に基づく、イメージ駆動データ・システムの実施例を示す図である。
【図１】
2008542811.tif 000004
【図２】
2008542811.tif 000005
【図３】
2008542811.tif 000006
【図４】
2008542811.tif 000007
【図５】
2008542811.tif 000008
【図６】
2008542811.tif 000009
【図７】
2008542811.tif 000010
【図８】
2008542811.tif 000011
【図９】
2008542811.tif 000012
【図１０】
2008542811.tif 000013
【図１１】
2008542811.tif 000014
【図１２】
2008542811.tif 000015
【図１３】
2008542811.tif 000016
【図１４】
2008542811.tif 000017
【図１５】
2008542811.tif 000018
【図１６】
2008542811.tif 000019
【図１７】
2008542811.tif 000020
【図１８】
2008542811.tif 000021
【図１９】
2008542811.tif 000022
【国際調査報告】
2008542811.tif 000023
2008542811.tif 000024